(57)【要約】【課題】この発明の目的は、装着性が容易であり且つ良好な耐久性を有する差込具を有する磁気誘導流量計を提供することにある。【解決手段】移動する媒体の流量を測定するための磁気誘導流量計は、媒体を導く測定チューブと、測定チューブに設けられる差込具を有する。この差込具は、少なくとも一つの第１の部分及び一つの第２の部分からなり、前記第１の部分が測定チューブの一端から前記測定チューブ内に導入され、前記第２の部分が前記測定チューブの他端から測定チューブ内に導入されると共に、第２の部分が漏れ防止手段を介して前記第１の部分に結合される。その結果、固定及び継続的な維持が確実な容易に装着できる差込具を得ることができる。【選択図】  図１
2006234814.tif 000002
【特許請求の範囲】
【請求項１】
測定チューブ及び媒体を導くために前記測定チューブに設けられる差込具を有し、移動する媒体の流量測定のための磁気誘導流量計において、
前記差込具は、少なくとも一つの第１の部分及び少なくとも一つの第２の部分からなり、前記第１の部分は、前記蘇的チューブの一端から前記測定チューブ内に導入されると共に、前記測定チューブの他端から前記測定チューブ内に導入される前記第２の部分が、漏れ止め手段において第１の部分と結合され、前記第１の部分及び前記第２の部分は、その長手方向において、お互いに相対的に移動可能であることを特徴とする磁気誘導流量計。
【請求項２】
前記差込具は、固い材料からなることを特徴とする請求項１記載の磁気誘導流量計。
【請求項３】
前記第１の部分及び第２の部分は、重複部分に沿ってお互いに押圧しあうことを特徴とする請求項１又は２記載の磁気誘導流量計。
【請求項４】
第１の部分と第２の部分の間の前記重複部分に、シールを設けたことを特徴とする請求項３記載の磁気誘導流量計。
【請求項５】
第１の部分及び第２の部分のそれぞれの外側及前記測定チューブの内壁の間に、さらにシールを設けたことを特徴とする請求項１又は２記載の磁気誘導流量計。
【請求項６】
差込具は、ねじりロックを有することを特徴とする請求項１又は２記載の磁気誘導流量計。
【請求項７】
少なくとも第１の部分の所定の部分及び／若しくは第２の部分の所定の部分は、前記測定チューブの内壁から所定の間隔を空けて位置することを特徴とする請求項１又は２記載の磁気誘導流量計。
【請求項８】
前記差込具の外側領域は、磁界コイルを収容するための手段を有することを特徴とする請求項７記載の磁気誘導流量計。
【請求項９】
第２の部分及び／若しくは第２の部分は、それぞれ端部フランジを有することを特徴とする請求項１又は２記載の磁気誘導流量計。
【請求項１０】
第１の部分及び第２の部分は、キャッチフックによって相互に接続されることを特徴とする請求項１又は２記載の磁気誘導流量計。
【発明の詳細な説明】
【技術分野】
【０００１】
この発明は、測定チューブ及び媒体を導くための前記測定チューブに設けられた差込具を有する媒体の流量を測定するための磁気誘導流量計に関し、さらに前記差込具が、少なくとも第１の部分及び第２の部分からなり、前記第１の部分が測定チューブの一端から前記測定チューブに導入され、前記第２の部分が測定チューブの他端から前記測定チューブに導入され、漏れ防止機構において前記第１の部分と接続される移動する磁気誘導流量計に関する。
【背景技術】
【０００２】
磁気誘導流量計については、特許文献１にすでに記載されている。このように、磁気誘導流量計は、すでに公知であり、いろいろな分野で広く応用されている。磁気誘導流量計の基本概念は、流量測定のための電磁誘導の原理を使用することを提案した１８３２年のファラディまで戻る。
【０００３】
誘導に関するファラディの法則によって、電荷を有し磁界を通過する流媒体は、流方向及び磁界に対して垂直に電界強度を発生させる。磁気誘導流量計においては、誘導に関するファラディの法則は、界磁コイルが、流方向に対して垂直な方向に延出する磁界要素を有する磁界を発生させるのに使用される。この磁界内において、この磁界内を流れ且つ所定数の電荷を有する媒体のそれぞれの体素は、そこに電界強度を生じさせ、測定電極を介して検出される測定電圧に影響を与える。
【０００４】
通常の磁気誘導流量計において、これらの測定電極は、電磁誘導性又は容量性のいずれかの方法において、流媒体に接触するように設計される。磁気誘導流量計の顕著な特徴は、測定電圧と測定チューブの直径にわたる平均的な媒体の流速の間、言い換えると測定電圧と流量の間の比例関係にある。
【０００５】
特に少なくとも測定電極の領域においては、測定チューブの内側は、電気的に被導電性でなければならないか、又は電気的に絶縁された裏地を有しなければならない。これは、上述されたような差込具によって達成される。この種の差込具を特徴とする磁気誘導流量計は、例えば、特許文献２に開示されている。
【０００６】
この特許文献２によると、前記差込具の少なくとも一つの端部は、弾性的であると共に、中央部分は剛性である。この中央部分は、第１の部分からなり、前記端部は、第２の部分からなり、前記第２の部分は、第１の部分よりも低い弾性率を有する。これらの材料から構成される差込具は、測定チューブの内部に十分に通過可能な弾性端部を変形することによって前記磁気誘導流量計の測定チューブに導入可能なように一体物として形成される。前記差込具を測定チューブに導入し、その弾性端部が、測定チューブの他方の端部を通過した後、前記弾性部は、ゆるんだ状態に戻ることができる。この方法において、前記差込具は、前記測定チューブ外側に延出し且つその外径が、前記測定チューブの内径よりも大きいフランジを、その各々の端部に有する。測定チューブにこの種の差込具を導入することは、相対的に扱いやすいと同時に、相対的に異なる弾性率を有する少なくとも２つの材料から差込具を製造することは、問題を提起することは明らかである。
【特許文献１】ＷＯ  ００／４７９５４Ａ１
【特許文献２】ＤＥ  １００  ４６  １９５  Ｃ２
【発明の開示】
【発明が解決しようとする課題】
【０００７】
この発明の目的は、装着性が容易であり且つ良好な耐久性を有する差込具を有する磁気誘導流量計を提供することにある。
【課題を解決するための手段】
【０００８】
上述した磁気誘導流量計に関して、上記目的は、長手方向において第１の部分と第２の部分の間に移動を許容することによって達成される。
【０００９】
このように、この発明によれば、第１の部分と第２の部分は、お互いに長手方向にシフト可能であると共に、それらの漏れ防止接続を維持することが可能である。これは、簡単な装着、例えば２つの部分をお互いに簡単にスライドさせることが可能であると同時に、その差込具が損傷なしに前記測定チューブの熱膨張に対応することができることを確保する。それ故に、前記２つの部分は、圧力に対して高い抵抗を提供する固い、寸法安定性のある丈夫な材料から製造される。
【００１０】
第１の部分は、前記第２の部分としっかりと接続するのに十分なほど、その挿入的に深く反対側まで測定チューブの他端に引き出される。しかしながら、この発明の好ましい例において、前記第２の部分は測定チューブの他端から前記測定チューブに挿入され、これによって、第１の部分と第２の部分は、測定チューブ内部において固定手段において結合される。
【００１１】
この結合は、本質的に前記測定チューブ内部の所定の点、特に測定チューブの中央領域においてなされる。しかしながら、この発明の好ましい例において、前記第１の部分及び前記第２の部分は、前記測定チューブの端部近傍において結合される。これは、装着を容易にするだけでなく、測定チューブの中央領域を通り過ぎるため、誘導電圧を検出する電極の邪魔をしない配置に利用できる。
【００１２】
この発明の好ましい例において、差込具の少なくとも所定の部分は、絶縁材からなる。その内径、言い換えると差込具の内径に実質的に対応する測定チューブの長さにわたる電極領域に、絶縁材を設けることが要望されていることがわかった。もちろん、差込具全体を絶縁材で形成することも可能である。
【００１３】
前記測定チューブの内壁の一部を、例えば電極の一般的な領域において、そこを流れる媒体から分離する差込具を設けることも可能である。しかしながら、この発明の好ましい例において、前記差込具は、その全長にわたって前記測定チューブを、そこを流れる媒体から完全に分離する。
【００１４】
上述したように、前記第１の部分及び前記第２の部分は、漏れ防止手段において接続される。また、この発明の好ましい例における付加的な処置として、シールが、第１の部分の外側及び第２の部分の外側と、前記測定チューブの内壁との間に設けられる。前記第１の部分及び前記第２の部分の外側に形成された付合溝に嵌め込まれるＯリングが、前記目的のために適切である。
【００１５】
この発明の好ましい例において、前記第１の部分及び前記第２の部分の間の漏れ防止結合は、第１の部分及び第２の部分を、重複部分に沿ってお互いに摺動させることによって形成される。前記第１の部分及び前記第２の部分の間の重複部分には、シールが、例えば、溝に嵌め込まれるＯリングの形で設けられる。
【００１６】
特に、この発明の好ましい例は、キャッチフックによってお互いに固定されるような２つのチューブを提供する。これらは、それらが、２つの部分のお互いからの分離を阻止し、長手方向においてそれらの間に相対的動作を可能にするように設計される。
【００１７】
一般的に、付加的な固定手段なしに前記磁気誘導流量計の測定チューブに差込具を配置することは、十分である。しかしながら、この発明の好ましい例において、前記差込具は、例えば前記差込具の外側と前記測定チューブの内側との間の摩擦噛合又は正共役による結合の形でのねじりロックを具備するものである。
【００１８】
一般的に、第１の部分及び第２の部分が、測定チューブの内壁に全接触することも可能である。しかしながら、この発明の好ましい例では、第１の部分及び／若しくは第２の部分の少なくとも所定の部分が、前記測定チューブの内壁から所定の間隔で位置している。特に、この発明の好ましい例では、差込具の外側部分は、界磁コイルを収容するための装備を有することを特徴とする。これによって、界磁コイルを収容し且つ装着するための付加的な取付具を測定チューブの装着する必要なしに、平円形断面を有する測定チューブに界磁コイルと共に差込具を装着することができるものである。
【００１９】
最後に、本発明の好ましい例では、第１の部分及び／若しくは第２の部分は、特に測定チューブ内でのさらなる移動を防止するための終端フランジを有し、これによって、磁気誘導流量計の測定チューブにおける差込具の固定維持を確実にすることができるものである。
【００２０】
本発明に係る磁気誘導流量計が形成され且つさらに向上するための種々の方法がある。これに関して、従属クレーム及び添付図面を参照した本発明の好ましい例の下記する詳細な説明に注意を払うべきである。
【発明を実施するための最良の形態】
【００２１】
以下、この発明の実施例について図面により説明する。
【実施例】
【００２２】
図１（ａ），（ｂ）は、差込具２が導入された測定チューブ１を有する磁気誘導流量計の概略断面図である。図１（ａ）で示されるように差込具２は、図面左側から前記測定チューブ１に導入された第１の部分３を有する。第１の部分３は、測定チューブ１の全長にわたって延出する。前記差込具２の第２の部分４は、図１（ｂ）に示されるように、図面右から測定チューブ１に導入される。前記第２の部分４の一部は、前記第１の部分３の図面右手側端の頂点に押し当てられ、これによって２つの部分が、しっかりした状態で結合される。
【００２３】
第１の部分と第２の部分との間にシールを形成するために、第１の部分３の図面右手側端部の外側に溝５が設けられ、この溝５は、前記第２の部分４の図面左側端部の内側に対して押圧する円周状のＯリング６を収容し、これによって、第１の部分３と第２の部分４の間のシールを形成する。図２は、これを詳細に示すものである。
【００２４】
第１の部分３及び第２の部分４からなる差込具２と、測定チューブ１のそれぞれの端部領域の間のシールは、例えば第１の部分３及び第２の部分４の外側に形成された溝８に嵌め込まれるＯリング７によって、同様に形成される。
【００２５】
上述したように本発明の好ましい実施例による磁気誘導流量計を装着するために、測定チューブ１のそれぞれの端部は、終端フランジ９を有する。第１の部分３及び第２の部分４の外側に位置する端部は、測定チューブ１の外側に位置し、前記測定チューブ１の内径よりも大きい外径を有する終端フランジ１０を有することを特徴とする。これは、ここで記載された本発明の好ましい実施例に係る磁気誘導流量計が、その終端フランジ９によって装着されるパイプラインシステムに対するシールとして、前記差込具２の終端フランジを二重にすることもできる。
【００２６】
上記に記載され、図示された実施例による磁気誘導流量計では、実施された唯一の手段は、第１の部分３及び第２の部分４が重複部分に沿ってお互いに押し当てられていることであり、上述したように、２つの部分３，４の間には、漏れ防止結合が設けられる。これは、変位可能な２つの部分３，４の能力、言い換えると長手方向においてお互いに移動可能であることを確保する。この場合、お互いに、又は測定チューブ１に前記部分３，４を装着するための手段を設けられない。この結果として、製造及び組立を簡略化することができる。しかしながら、部分３，４をキャッチフックのような接続要素に備え付けることも可能であり、これによって２つの部分３，４は、押圧されるとき、お互いに自動的にロックされる。また、そのような設計は、組立を簡単にすることができると同時に、２つの部分３，４が容易に分離しないようにすることができる。最後に、上述したように、前記部分３，４を前記測定チューブ１に装着することもできる。
【００２７】
特に、図１（ａ），（ｂ）において示されるように、前記差込具２が、特に射出成形されたプラスチック部品からなる場合、前記測定チューブ１の長手軸に沿ってその内側端部と外側端部の間を変化する断面を有する。誘導電圧を検出するための電極１１を有する中央領域において、前記断面は、一定である。それは、測定チューブ１の内側にある差込具２の主な部分が、測定チューブ１の内壁から所定の間隔を空けて位置しており、これによって界磁コイル１３を収納するための手段１２を形成することを導いている。これは、単純な環状断面を有する機械的にしっかりとしたステンレス鋼チューブに、前記界磁コイル１３を共に前記差込具２を装着させることを可能にするものである。
【００２８】
この結果、円形断面を有する通常のステンレス鋼からなる測定チューブに位置する簡単に装着できる差込具２を有し、この差込具２を界磁コイル１３と共に容易に装着することができると同時に、差込具２の固定及び継続的な維持を確保することのできる磁気誘導流量計を形成できるものである。
【図面の簡単な説明】
【００２９】
【図１】図１（ａ），（ｂ）は、本発明の好ましい実施例に係る磁気誘導流量計の測定チューブに差込具を装着した状態を示した概略断面図である。
【図２】図１（ａ），（ｂ）で示された装着部分の一部拡大断面図である。
【符号の説明】
【００３０】
１  測定チューブ
２  差込具
３  第１の部分
４  第２の部分
５  溝
６  Ｏリング
７  Ｏリング
８  溝
９  終端フランジ
１０  終端フランジ
１２  手段
１３  界磁コイル
【図１】
2006234814.tif 000003
【図２】
2006234814.tif 000004